(57)【要約】【課題】  撮像・記録した画像データを再生モードに移行することで即座に再生できる撮像装置としての利便性と、撮像装置を画像の再生装置として使用した場合の再生画像の連続性が保たれるという利便性の双方を満足する。【解決手段】  撮像モードにて画像データの記録が行われた後において最初に再生モードに移行したときは最終記録画像に基づく画像データの再生が行われるようにし、それ以外の状態から再生モードに移行したときは、前回の再生モードにて再生が終了したポイントに基づく画像データの再生が行われるようにする。これによって撮像・記録した画像データを再生モードに移行することで即座に再生できる撮像装置としての利便性と、撮像装置を画像の再生装置として使用した場合の再生画像の連続性が保たれるという利便性の双方を満足することができる。【選択図】図４
2007067660.tif 000002
【特許請求の範囲】
【請求項１】
少なくとも撮像レンズ系と撮像素子とを備えて撮像画像を得る撮像手段と、
上記撮像手段による撮像画像に基づく画像データを所要の記録媒体に対して記録する記録手段と、
上記記録媒体に記録された画像データについての再生を行う再生手段と、
上記撮像手段による撮像動作と上記記録手段による画像データの記録とが可能な状態としての撮像モードと、上記再生手段による上記画像データの再生が可能な状態としての再生モードとの切り換え制御を行うと共に、上記撮像モードにて上記記録手段による上記画像データの記録が行われた後において最初に上記再生モードに移行したときは、上記再生手段により最終記録画像に基づく画像データの再生が行われるように制御を行い、それ以外の状態から上記再生モードに移行したときは、前回の再生モードにて再生が終了したポイントに基づく画像データの再生が行われるように制御を行う再生制御手段と、
を備えることを特徴とする撮像装置。
【請求項２】
上記再生制御手段は、
上記再生モードに移行したときは、リジュームポイントの情報に基づいた画像データの再生が行われるように上記再生手段を制御するように構成されると共に、
上記撮像モードにて上記画像データの記録が行われたときは、上記リジュームポイントを最終記録画像に基づき更新し、上記再生モードが終了したときには、上記リジュームポイントを再生終了ポイントに基づき更新する、
ことを特徴とする請求項１に記載の撮像装置
【請求項３】
上記画像データは静止画像データであり、
上記再生制御手段は、上記再生が終了したポイントに基づく画像データの再生として、前回の再生モードにて再生を終了した静止画像データの再生が行われるように制御を行う、
ことを特徴とする請求項１に記載の撮像装置。
【請求項４】
上記画像データは動画像データであり、
上記再生制御手段は、上記最終記録画像に基づく画像データの再生として、最終記録動画像データの先頭位置からの再生が行われるように制御を行う、
ことを特徴とする請求項１に記載の撮像装置。
【請求項５】
少なくとも撮像レンズ系と撮像素子とを備えて撮像画像を得る撮像手段と、上記撮像手段による撮像画像に基づく画像データを所要の記録媒体に対して記録する記録手段と、上記記録媒体に記録された画像データについての再生を行う再生手段とを備えて構成される撮像装置における再生制御方法として、
上記撮像手段による撮像動作と上記記録手段による画像データの記録とが可能な状態としての撮像モードと、上記再生手段による上記画像データの再生が可能な状態としての再生モードとの切り換え制御を行うと共に、上記撮像モードにて上記記録手段による上記画像データの記録が行われた後において最初に上記再生モードに移行したときは、上記再生手段により最終記録画像に基づく画像データの再生が行われるように制御を行い、それ以外の状態から上記再生モードに移行したときは、前回の再生モードにて再生が終了したポイントに基づく画像データの再生が行われるように制御を行うようにした、
ことを特徴とする再生制御方法。
【発明の詳細な説明】
【技術分野】
【０００１】
本発明は、例えばデジタルスチルカメラやデジタルビデオカメラ等の撮像装置と再生制御方法とに関する。
【背景技術】
【０００２】
例えばデジタルスチルカメラでは、撮像画像を記録後、この記録画像を確認するという利便性を考慮して、再生モードに切り替わったときに最後に記録された画像データ（最終記録画像）を再生・表示するようにされたものがある。従来のデジタルスチルカメラとしては、このような機能の実現のため、再生モードに移行したときは常に最終記録画像が再生・表示されるように構成されている。
【０００３】
一方で、撮像機能を備えない画像再生装置においては、再生機能を充実したものとするため、再生の終了後、再度の画像再生時には、最後に再生・表示した画像データから再生・表示を行うようにされたものがある。いわゆる、リジューム再生機能と呼ばれるものである。
【０００４】
なお、関連する従来技術については以下の特許文献を挙げることができる。
【特許文献１】特開２００３−３０９７９０号公報
【発明の開示】
【発明が解決しようとする課題】
【０００５】
ところで、デジタルスチルカメラを、撮像記録装置と、撮像記録した画像についての再生装置との２面から捉えた場合、記録装置と再生装置としての双方の利便性の向上が図られることに越したことはない。
しかしながら、上記のような最終記録画像の再生機能とリジューム再生機能との両立について、従来ではこれをどのように図るべきかについて提案したものはなく、またこのことからその両立は図られていないのが現状となっている。
【課題を解決するための手段】
【０００６】
そこで、本発明では以上のような問題点に鑑み、撮像装置として以下のようにすることとした。
つまり、先ず、少なくとも撮像レンズ系と撮像素子とを備えて撮像画像を得る撮像手段を備える。
また、上記撮像手段による撮像画像に基づく画像データを所要の記録媒体に対して記録する記録手段を備える。
また、上記記録媒体に記録された画像データについての再生を行う再生手段を備える。
さらに、上記撮像手段による撮像動作と上記記録手段による画像データの記録とが可能な状態としての撮像モードと、上記再生手段による上記画像データの再生が可能な状態としての再生モードとの切り換え制御を行うと共に、上記撮影モードにて上記記録手段による上記画像データの記録が行われた後において最初に上記再生モードに移行したときは、上記再生手段により最終記録画像に基づく画像データの再生が行われるように制御を行い、それ以外の状態から上記再生モードに移行したときは、前回の再生モードにて再生が終了したポイントに基づく画像データの再生が行われるように制御を行う再生制御手段を備えるようにした。
【０００７】
上記本発明によれば、撮像モードにて撮像・記録が行われたときは、その直後に再生モードに移行したときに最終記録画像に基づく画像再生を行うことができる。これによりユーザは、撮像・記録した画像を、再生モードに移行させることで即座に表示させて確認することができ、この結果、撮像装置としての利便性を増すことができる。
一方、撮像モードで撮像・記録が行われた以外の状態（つまり、例えば再生モードで電源OFFとされた後、又は再生モード後に撮像モードとなったがそこで記録が行われなかった状態など）から再生モードに移行したときは、再生終了ポイントに基づく画像再生が行われる。これら撮像モードで撮像・記録が行われた以外の状態から再生モードに移行してくる場合としては、画像再生の途中であったとみなすことができ、従ってこれに応じ上記のように再生終了ポイントに基づく画像再生ができることで、再生装置としての利便性を保つことができる。
【発明の効果】
【０００８】
これらのことから本発明によれば、撮像・記録した画像データを再生モードに移行することで即座に再生できる撮像装置としての利便性と、撮像装置を画像の再生装置として使用した場合の再生画像の連続性が保たれるという利便性の双方を満足することができる。
また、このような本発明としての効果については、撮像モード／再生モードの切り換えという従来でも行われていた操作のみで実現できる。また、このことによれば、このような本発明としての効果の実現のために敢えて新たな操作子を増設する必要もないという利点もあることになる。
【発明を実施するための最良の形態】
【０００９】
以下、発明を実施するための最良の形態（以下実施の形態とする）について説明していく。
図１は、実施の形態の撮像装置としての、デジタルスチルカメラ１の内部構成を示したブロック図である。
このデジタルスチルカメラ１としては、図示するメディアドライブ部１６を備えることで、撮像画像データをこのメディアドライブ部１６に装填された記録媒体に対し記録することが可能に構成される。また、これと共に、図示する表示部１４を備えることで、上記記録媒体に記録された画像データについての再生表示を行うことが可能に構成される。
また、この場合のデジタルスチルカメラ１は、例えばＪＰＥＧ（Joint Photographic Experts Group）方式などによる静止画像データと共に、ＭＰＥＧ-１（MPEG:Moving Picture Experts Group）方式などによる動画像データの撮像・記録及び再生表示が可能に構成される。
【００１０】
先ず、図１において、システムコントローラ２０は、当該撮像装置全体の制御部として機能し、撮像動作や画像再生動作、及び表示部１４の表示動作などのための制御、ユーザ操作の検知、動作状態の遷移処理、外部機器との通信制御などを行う。システムコントローラ２０は図示するバス１１を介して各部とデータや制御情報のやりとりを行う。
図示するようにシステムコントローラ２０に対してはバス１１を介し、メモリ部１９、ＵＳＢ（Universal Serial Bus）インタフェース１８、バッファメモリ１７、メディアドライブ部１６、エンコーダ６、カメラコントローラ１０、表示データ処理部１２、表示コントローラ１５の各部が接続されている。
【００１１】
メモリ部１９は、システムコントローラ２０が備えるＲＯＭ・ＲＡＭや不揮発性メモリ等の記憶手段を包括的に示している。
このメモリ部１９内のＲＯＭには、システムコントローラ２０が実行するプログラムや各種処理係数などが記憶される。また、不揮発性メモリには、各種係数、設定情報、その他電源オフ時にも保持しておくべき情報が記憶される。例えば、後述するリジュームポイントの情報などはこの不揮発性メモリに記憶される。
【００１２】
また、システムコントローラ２０に対しては、操作部２１が接続される。この操作部２１は当該デジタルスチルカメラ１の筐体外部に表出するようにして設けられた各種操作子を備え、システムコントローラ２０は各操作子対応に得られる操作情報に応じた動作が実行されるように必要な各部を制御する。これによりユーザは各種動作の実行を当該デジタルスチルカメラ１に指示することができるようにされている。
【００１３】
操作部２１に設けられる各種操作子としては、図示するシャッタボタン２１ａ、撮像モード／再生モード切替スイッチ２１ｂ、十字キー２１ｃ、電源スイッチ２１ｄなどが挙げられる。
シャッタボタン２１ａは、主に撮像画像を取り込みこれを記録媒体に記録する指示を行うために用いられる操作子である。撮像モード／再生モード切替スイッチ２１ｂは、当該デジタルスチルカメラ１を撮像モードと再生モードとで切り替えるために用いられる操作子である。
なお、これらシャッタボタン２１ａ、撮像モード／再生モード切替スイッチ２１ｂの操作に基づきシステムコントローラ２０が行う制御処理については後述する。
【００１４】
また、十字キー２１ｃは、各種方向指示や再生画像の順送り／逆送り等を指示するための操作子である。さらに、電源スイッチ２１ｄは当該デジタルスチルカメラ１の電源をON／OFFするための操作子である。
【００１５】
また、システムコントローラ２０は、バス１１を介して接続されたＵＳＢインターフェース１８により、図示するＵＳＢ端子ｔusbを介して接続された外部機器（例えばパーソナルコンピュータ等）との間でデータ通信を行うことが可能とされる。
【００１６】
メディアドライブ部１６は、システムコントローラ２０の制御に基づいて、装填されたリムーバブルメディアとしての記録媒体についての記録再生を行う。このため、上記記録媒体に記録すべきデータについての記録フォーマットへのエンコード部、記録媒体からの再生データのデコード部などを備える。
バッファメモリ１７は、上記メディアドライブ部１６に転送して記録媒体に記録させるデータのバッファリングや、メディアドライブ部１６で記録媒体から読み出されたデータのバッファリングを行うために設けられる。
【００１７】
また、当該デジタルスチルカメラ１においては、実際の撮像動作及び画像表示を行うための撮像処理系と表示処理系が設けられる。
先ず、上記撮像処理系としては、図示する撮像レンズ２ａを含むレンズ系２、イメージセンサとしての固体撮像素子部３、撮像信号転送部４、デジタル画像信号処理回路５、エンコーダ６、フラッシュ発光部７、レンズ駆動部８、発光駆動部９、カメラコントローラ１０を有する。
【００１８】
レンズ系２は、撮像レンズ２ａやフォーカスレンズ、ズームレンズを備えたレンズ光学系とされ、被写体の撮像光を固体撮像素子部３に入射する。
固体撮像素子部３は例えばＣＣＤ（Charge Coupled Device）センサアレイや、ＣＭＯＳ（Complementary Metal-Oxide Semiconductor）センサアレイとして構成される。
撮像信号転送部４は、固体撮像素子部３の各撮像素子によって得られる信号の転送、サンプリング、ゲイン調整等を行い、さらにＡ／Ｄ変換を行って撮像によるデジタル画像データを生成し、デジタル画像信号処理部５に転送する。
【００１９】
デジタル画像信号処理回路５は、撮像信号転送部４から得られた撮像画像データ（画像信号）に対するホワイトバランス、Ｙ／Ｃ処理等の各種画像信号処理を行う。
エンコーダ６は、デジタル画像信号処理回路５で処理された撮像画像データについて圧縮処理やフォーマット処理等を行う。例えばＪＰＥＧ方式の静止画像データ、またはＭＰＥＧ-１方式による動画像データを生成するようにされる。
【００２０】
レンズ駆動部８は、レンズ系２におけるフォーカスレンズやズームレンズの駆動を行う。
発光駆動部９は、フラッシュ発光部７に対するフラッシュ発光駆動を行う。
カメラコントローラ１０は、システムコントローラ２０からの指示に基づいて、当該撮像処理系の動作を制御する。
【００２１】
また、上記した表示処理系としては、例えば液晶ディスプレイ等による表示部１４、表示駆動回路１３、表示データ処理部１２、表示コントローラ１５が設けられる。
表示データ処理部１２は、バス１１を介して接続されたシステムコントローラ２０もしくは上述した撮像処理系から供給された表示データ（画像データ）を格納する。また表示出力のための所要のデコード処理、ＲＧＢ処理等を行う。
表示駆動回路１３は、上記表示データ処理部１２に格納され必要な信号処理がされてＲ、Ｇ、Ｂ信号形態とされた表示データを取り込み、これに基づいて表示部４を駆動して画像表示を実行させる。
表示コントローラ１５は当該表示処理系の動作を制御する。
【００２２】
ここで、デジタルスチルカメラ１では、画像撮像及び撮像画像の記録のための撮像モードと、記録画像の再生表示を行うための再生モードとの２つのモードが設けられる。
撮像モードでは、撮像処理系の動作がＯＮとされて、撮像画像データの生成及び記録が可能な状態となる。システムコントローラ２０は、先に説明した操作部２１における撮像モード／再生モード切替スイッチ２１ｂにより撮像モードが指示された場合は、まずカメラコントローラ１０への指示により、撮像信号転送部４、デジタル画像信号処理回路５、エンコーダ６を制御して、被写体画像の取り込み、画像信号処理を実行させる。この場合において、ユーザが先の操作部２１に設けられたシャッタボタン２１ａを押すまでの期間は、エンコーダ６から出力される画像（動画像）を表示データ処理部１２に転送し、表示駆動回路１３によって表示部４に表示させる。即ちユーザが被写体を確認できるようにしている。
ユーザがシャッタボタン２１ａを押したら、システムコントローラ２０は、その時点の被写体画像（静止画）を撮像画像データとして記録する制御を行うが、このときカメラコントローラ１０に、シャッタ操作時の１フレームの画像データがエンコーダ６からバス１１を介して出力されるように指示を行う。この撮像画像データはシステムコントローラ２０の制御に基づいて、バッファメモリ１７を介してメディアドライブ部１６に記録データとして供給され、記録媒体に記録される。
また、その撮像画像データを表示データ処理部１２にも供給して、表示駆動回路１３によって表示部１４に表示させることで、ユーザが撮像した画像を確認できるようにしてもよい。
【００２３】
また、カメラコントローラ１０は、ユーザの操作に基づくシステムコントローラ２０からの指示や、自動制御によりレンズ駆動部８を制御して、オートフォーカス、ズーム動作を実行させる。レンズ駆動に関しては、システムコントローラ２０からの指示により接写モードと通常モードとの切り換えを行うように構成することもできる。
またカメラコントローラ１０は、固体撮像素子部３での電荷蓄積時間調整やデジタル画像信号処理回路５での信号処理を制御して、露出調整を行ったり、デジタル画像信号処理回路５やエンコーダ６を制御して撮像画像データの画サイズ設定なども行う。
また、カメラコントローラ１０は発光駆動部９を制御してシャッタタイミングでのフラッシュ発光制御も行う。シャッタタイミングでフラッシュ発光させるか否かはフラッシュ設定のモードとしてシステムコントローラ２０から指示される。
【００２４】
また、本実施の形態の場合は、静止画像データの記録と共に、動画像データの記録も可能とされる。静止画像データの記録を行うか動画像データについての記録を行うかは、操作部２１に設けられた静止画／動画撮影モード切替スイッチ（図示せず）の操作に基づいて決定する。
動画像データの記録を行うとした場合、システムコントローラ２０はカメラコントローラ１０に指示を行って、エンコーダ６にてデジタル画像信号処理回路５から供給される撮像画像（動画像）を例えばＭＰＥＧ-１方式などによりエンコードするように制御を行う。
この場合、動画像の記録開始／終了は、シャッタボタン２１ａの操作に応じて行うようにされる。また、この場合も撮像画像データを表示データ処理部１２にも供給して、表示駆動回路１３によって表示部１４に表示させることで、ユーザが撮像画像を確認できるようにすることができる。
【００２５】
続いて、再生モードは、記録媒体に記録された画像データについての再生・表示を行うモードである。
この再生モードでは、記録媒体に記録された画像データを再生・表示する。システムコントローラ２０は、撮像モード／再生モード切替スイッチ２１ｂにより再生モードが指示されることに応じて、メディアドライブ部１６を制御して装填された記録媒体から後述するようようにして決定される画像データの読み出しを実行させる。そして、この画像データを表示データとして表示コントローラ１５に供給する。これに応じ表示コントローラ１５は、当該画像データが表示部１４上に表示されるように表示データ処理部１２、表示駆動回路１３を制御する。
また、再生・表示すべき画像の選択は、操作部２１の十字キー２１ｃによって可能とされる。システムコントローラ２０は、十字キー２１ｃによる順送り／逆送り操作に応じて、記録媒体に記録される画像データの付帯情報（ファイルナンバや記録日時の情報）に基づいて順次表示画像として読み出すべき画像データの選択を行うことで、例えば記録順序に従った順送り／逆送りをするように表示画像データを選択する。
【００２６】
なお、この場合、表示コントローラ１５は、上述のように撮像処理系から供給される被写体動画や撮像時の静止画像の表示を実行させるように表示データ処理部１２及び表示駆動回路１３を制御するようにもされる。さらには、システムコントローラ２０から供給される操作メニュー画面、アイコン、一覧画像などとしての表示データが表示されるように制御を行うようにもされる。
【００２７】
ところで、先にも説明したように従来のデジタルスチルカメラでは、撮像画像を記録後、この記録画像を確認するという利便性を考慮して、再生モードに切り替わったときに最後に記録された画像データ（最終記録画像）を再生・表示するようにされている。一方で、デジタルスチルカメラとしては、上記説明からも理解されるように、記録画像についての再生装置としての機能も有するようにされているが、一般的に撮像機能を備えない画像再生装置においては、再生機能を充実したものとするため、再生の終了後、再度の画像再生時には、最後に再生・表示した画像データから再生・表示を行うようにされたものがある。いわゆる、リジューム再生機能である。
【００２８】
ここで、デジタルスチルカメラを、撮像記録装置と、撮像記録した画像についての再生装置との２面から捉えた場合、記録装置と再生装置としての双方の利便性の向上が図られることに越したことはない。しかしながら、上記のような最終記録画像の再生機能とリジューム再生機能との両立について、従来ではこれをどのように図るべきかについて提案したものはなく、またこのことからその両立は図られていないのが現状となっている。
【００２９】
そこで本実施の形態では、デジタルスチルカメラ１としてこのような撮像記録装置と再生装置の双方の利便性の向上が図られるべく、再生モードにて画像データの再生・表示を行う場合について、撮影モードにて画像データの記録が行われた後において最初に再生モードに移行したときは、最終記録画像に基づく画像データの再生が行われるようにし、それ以外の状態から再生モードに移行したときは、前回の再生モードにて再生が終了したポイントに基づく画像データの再生が行われるようにする。
【００３０】
図２、図３は、このような実施の形態としての再生・表示動作について模式的に示した図である。
先ず、図２（ａ）に示されるようにして撮像モードにて画像データが撮像・記録されたとする。ここでは、撮像モードにて撮像・記録された画像データが１枚であった場合を例示しているが、この場合はその記録画像が最終記録画像となることは言うまでもない。
そして、その後、最初に再生モードに移行したときは、図２（ｂ）に示されるように、先の撮像モードにて記録された最終記録画像に基づく画像再生が行われるようにする。ここでは、最終記録動画像が静止画像データであった場合を例示し、再生モードでは最終記録動画像からの画像再生が行われる例を示している。最終記録動画像が動画像データであった場合には、最終記録動画像としての動画像データの先頭位置からの再生が行われるようにする。
これにより、撮像モードにて撮像・記録が行われたときには、その直後に再生モードに移行したときに最終記録画像に基づく画像再生を行うことができ、ユーザは、撮像・記録した画像を、再生モードに移行させることで即座に表示させて確認することができる。この結果、撮像記録装置としての利便性を増すことができる。
【００３１】
なお、確認のために述べておくと、「撮像モードにて画像データの撮像・記録が行われた後に最初に再生モード移行する」とは、撮像・記録後直ちに再生モードに移行する場合を始めとして、一旦電源がＯＦＦとされた後に再生モードで電源がＯＮとされた場合や、電源ＯＦＦ後再び撮像モードで電源がＯＮとされた後に再生モードに移行する場合なども含むものである。
【００３２】
一方、撮影モードにて画像データの記録が行われた以外の状態から再生モードに移行する場合としては、図３（ａ）に示すように再生モードで記録画像を閲覧した後、電源をＯＦＦとし、その後に再生モードで電源をＯＮとした場合が挙げられる。
この場合は、図３（ｂ）に示すように、図３（ａ）に示す前回の再生モードにおいて再生が終了したポイントに基づく画像データの再生が行われるようにする。
つまり、図示するように静止画像データであった場合には、再生が終了したポイントとして、例えば再生が終了した画像データからの再生表示を行うようにする。
また、動画像データであった場合は、再生が終了した時点から再生されるようにする。
【００３３】
なお、「撮像モードで撮像・記録が行われた以外の状態」としては、上記のように再生モードの状態にて電源ＯＦＦとされた後、再度再生モードの状態で電源がＯＮとされる以外にも、再生モード後に撮像モードに移行したががそこで記録が行われなかった状態なども含まれるが、いずれにせよ、これら撮像モードで撮像・記録が行われた以外の状態から再生モードに移行してくる場合としては、直前に画像データの記録が行われなかった状態であり、従って画像再生の途中であったとみなすことができる。
このようにして画像再生の途中であったと見なされる場合に応じて、上記のように再生終了ポイントに基づく画像再生ができることで、再生装置としての利便性を保つことができる。
【００３４】
これらのことより、本実施の形態によれば、撮像・記録した画像データを再生モードに移行することで即座に再生できる撮像装置としての利便性と、撮像装置を画像の再生装置として使用した場合の再生画像の連続性が保たれるという利便性の双方を満足することができる。
また、このような本実施の形態としての効果については、撮像モード／再生モードの切り換えという従来でも行われていた操作のみで実現できる。また、このことによれば、このような本実施の形態としての効果の実現にあたっては、敢えて新たな操作子を増設する必要もないという利点もあることになる。
すなわち、最終記録画像と再生終了ポイントの何れに基づいて画像表示を行うかを選択するための新たな操作子が不要という点で、操作子の増設が不要となるものである。
【００３５】
図４、図５は、上記説明による本実施の形態としての動作を実現するために行われるべき処理動作について示したフローチャートである。
なお、これら図４、図５に示す処理動作は、システムコントローラ２０が例えばメモリ部１９のＲＯＭに格納されたプログラムに基づいて実行するものである。
先ず図４では、撮像モードにて行われるべき処理動作について示しており、この図４では、デジタルスチルカメラ１が既に撮像モードに移行しているものとして説明する。
図４において、ステップＳ１０１では、画像記録が行われたか否かについての判別処理を行う。すなわち、シャッタボタン２１ａの押圧操作に基づき、静止画撮影モードでの静止画像データの記録、又は動画像撮影モードでの動画像データの記録が行われたか否かについて判別する。
【００３６】
ステップＳ１０１において、画像記録が行われていないとして否定結果が得られた場合は、ステップＳ１０３に進んで撮像モードが終了したか否かについての判別処理を行う。撮像モードの終了としては、例えば撮像モード／再生モード切替スイッチ２１ｂにより再生モードに切り替えられる、又は電源スイッチ２１ｄにより電源がＯＦＦとされることが挙げられる。システムコントローラ２０は、これらの何れかの操作が行われたか否かについて判別処理を行うことで、撮像モードが終了したか否かについて判別する。
その上で、撮像モードが終了していないとして否定結果が得られた場合は、図示するようにして先のステップＳ１０１に戻り、再度画像記録が行われたか否かについての判別処理を行うようにされる。これらステップＳ１０１→ステップＳ１０３→ステップＳ１０１のループにより、画像記録と撮像モード終了との何れかを待機するようにされている。
【００３７】
そして、ステップＳ１０１において、画像記録が行われたとして肯定結果が得られた場合は、ステップＳ１０２に進み、フラグ＝１を設定する。このフラグは、撮像モードでの画像の記録の有無を確認するためにシステムコントローラ２０内部で設定するフラグであり、この場合は「０」が初期値で「１」が画像記録有りを示すものとする。
【００３８】
また、ステップＳ１０３において、撮像モードが終了したとして肯定結果が得られた場合は、ステップＳ１０４において、フラグ＝１であるか否かについて判別処理を行う。フラグ＝０により否定結果が得られた場合は、図示するようにそのまま処理動作を終了する。すなわち、撮像モードを終了する。
一方、フラグ＝１であるとして肯定結果が得られた場合は、ステップＳ１０５において、リジュームポイントを最終記録画像に基づいて更新する処理を実行する。
【００３９】
ここで、リジュームポイントとは、再生モードに移行したときに画像再生を開始すべきポイントを示す情報として、システムコントローラ２０が記憶している情報である。このリジュームポイントの情報は、先にも述べたように例えばメモリ部１９の不揮発性メモリに記憶される。
ステップＳ１０５において、システムコントローラ２０は、最終記録画像が静止画データであった場合には、この静止画像データの例えばファイルナンバの情報をリジュームポイントとして設定するようにしてリジュームポイントの更新を行う。また、最終記録画像が動画像データであった場合には、この動画像データの先頭位置（再生時間＝０の位置）を示すタイムスタンプ情報をリジュームポイントとして設定するようにしてリジュームポイントの更新を行う。
なお、ステップＳ１０５において、最終記録画像の特定は、例えば記録した画像データに付帯する記録日時の情報などに基づいて行うことができる。
【００４０】
続くステップＳ１０６では、フラグをリセットする。すなわち、フラグ＝０を設定する。
ここにおいてフラグ＝０にリセットされることで、この後において再度撮像モードに移行したが実際に画像記録が行われなかった場合に、リジュームポイントが最終記録画像に基づいて更新されてしまうことがないようにできる。
すなわち、これにより、再生モード後に撮像モードに移行し、そこで画像記録が行われず再度再生モードに移行したといった場合にも、リジュームポイントが最終記録画像に基づき更新されてしまうことが防止され、正常に前回の再生終了ポイントに基づく画像再生が行われるようにすることができる。
【００４１】
続いて、図５は、再生モードにて行われるべき処理動作について示している。この図５では、デジタルスチルカメラ１が既に再生モードに移行した状態にあるものとする。
先ず、ステップＳ２０１では、再生モードに移行したことに応じて、リジュームポイントを参照する。
そして、ステップＳ２０２では、リジュームポイントに基づく画像再生を行う。つまり、リジュームポイントの情報が静止画像のファイルナンバを指し示すものであったことに応じては、そのファイルナンバの静止画像データをメディアドライブ部１６によって読み出させ、これを表示コントローラ１５に供給して表示部１４上に表示させる。
また、リジュームポイントの情報が特定の動画像データについてのタイムスタンプ情報であった場合には、そのタイムスタンプ情報が示す位置からその動画像データの表示が為されるように、メディアドライブ部１６、表示コントローラ１５を制御する。
【００４２】
ステップＳ２０３では、再生モードの終了を待機する。再生モードの終了としては、例えば撮像モード／再生モード切替スイッチ２１ｂにより撮像モードに切り替えられる、又は電源スイッチ２１ｄにより電源がＯＦＦとされることが挙げられる。システムコントローラ２０は、これら何れかの操作入力を待機することで、再生モードの終了を待機するようにされる。
【００４３】
再生モードが終了した場合は、ステップＳ２０４において、リジュームポイントを再生終了ポイントに基づいて更新する処理を実行する。
つまり、再生モード終了時に再生・表示していた画像データが静止画像データであった場合は、その静止画像データのファイルナンバをリジュームポイントに設定するようにしてリジュームポイントの更新を行う。
また、再生モード終了時に再生・表示していた画像データが動画像データであった場合は、この動画像データの再生モード終了時に再生していた位置を表すタイムスタンプ情報を保持し、これをリジュームポイントに設定するようにしてリジュームポイントの更新を行う。
【００４４】
このようにして本実施の形態では、再生モード移行時には、リジュームポイントに基づく画像データの再生・表示が行われる（ステップＳ２０１・Ｓ２０２）。
そしてそのリジュームポイントとしては、撮像モードにて画像データの記録が行われた場合には、その最終記録画像に基づき更新される（Ｓ１０５）。つまり、このことで、画像データの撮像記録後に再生モードに移行した場合には、自動的に最終記録画像に基づく画像再生・表示を行うことが可能となる。
このとき、最終記録動画像に基づき更新されたリジュームポイントの情報は、再生モードに移行して再生終了ポイントに基づき更新される（Ｓ２０４）まで有効となることがわかる。つまりは、これにより、画像データの撮像記録後に最初に再生モードに移行したときのみに、最終記録動画像に基づく画像再生・表示が行われるようにすることができ、換言すれば、それ以外の状態から再生モードに移行したとき（画像データの撮像記録後に最初に再生モードに移行する以外で再生モードに移行したとき）には、先のＳ２０４で更新された再生終了ポイントによるリジュームポイントに基づく画像再生・表示を行うことができるということになる。
この結果、図４、図５に示した処理動作によれば、撮影モードにて画像データの記録が行われた後に最初に再生モードに移行したときは最終記録画像に基づく画像再生（表示）が行われるようにし、それ以外の状態から上記再生モードに移行したときは前回の再生モードにて再生終了したポイントに基づく画像データの再生が行われるようにすることができる。そして、このような動作が得られることで、先に説明したように撮像・記録した画像データを再生モードに移行することで即座に再生できる撮像装置としての利便性と、撮像装置を画像の再生装置として使用した場合の再生画像の連続性が保たれるという利便性の双方を満足することができる。
【００４５】
以上、本発明の実施の形態について説明したが、本発明としてはこれまでに説明した実施の形態に限定されるべきものではない。
例えば、実施の形態では、リジュームポイントに基づく画像再生として、特に静止画像データの場合、１枚の画像データのみを表示するものとしたが、例えば再生終了時の画像表示状態として、複数枚を１画面上に表示するいわゆるハイライト表示を行っていた場合などには、リジュームポイントとしての静止画像データを含む複数枚の画像データを表示することもできる。
【００４６】
また、再生モード終了後のリジュームポイントは再生終了時の表示画像としたが、その次の画像とすることもできる。つまり、静止画像データであれば、例えば再生モード終了時に再生していた静止画像データの、再生順として次に再生すべきとされていた次のファイルナンバの静止画像データを表示するようにしてもよい。
また、動画像データであれば、終了ポイントの次のポイント（例えば次のフレーム、或いは所定の再生時間単位の刻みでの次のポイント）から表示することもできる。
いずれにせよ、再生終了ポイントに基づく位置から表示が行われることで、リジューム再生としての効果は得ることができる。
【００４７】
また、実施の形態では、撮像モードの終了時に、リジュームポイントを最終記録画像に基づき更新するものとしたが、撮像モード終了時に最終記録動画像を特定しておき、その後の再生モード移行時に、この特定した最終記録動画像の情報に基づくリジュームポイントの更新を行うようにすることもできる。
また、再生終了ポイントに基づくリジュームポイントの更新としても、先の図５に示したように再生モード終了時に行うのではなく、終了ポイントのみを記憶しておいて、次の再生モード移行時にこの記憶したポイントに基づいてリジュームポイントの更新を行うようにすることもできる。
【００４８】
また、実施の形態では、静止画像データと動画像データの双方についてリジューム再生する場合を例示したが、静止画像データのみ、或いは動画像データのみについてリジューム再生を行うように構成することもできる。
【００４９】
また、実施の形態では本発明をデジタルスチルカメラに適用する場合を例示したが、デジタルビデオカメラに適用することもできる。
その場合も、動画像データと共に静止画データの記録が可能であれば、同様に双方についてのリジューム再生が可能となるようにされればよい。また、デジタルビデオカメラとされた場合には、表示部１４としてビューファインダーによる液晶ディスプレイを設けるようにすることもできる。
さらには、このようなカメラ機能に特化した装置に限らず、カメラ機能付き携帯電話機など、撮像画像の記録と記録画像の再生とが可能な撮像装置に広く好適に適用することができる。
【図面の簡単な説明】
【００５０】
【図１】本発明における実施の形態としての撮像装置の内部構成について示すブロック図である。
【図２】実施の形態としての動作を説明するための模式図である。
【図３】同じく、実施の形態としての動作を説明するための模式図である。
【図４】実施の形態としての動作を実現するために行われるべき処理動作として、撮像モード時に対応して行われるべき処理動作について示すフローチャートである。
【図５】実施の形態としての動作を実現するために行われるべき処理動作として、再生モード時に対応して行われるべき処理動作について示すフローチャートである。
【符号の説明】
【００５１】
１  デジタルスチルカメラ、２  撮像レンズ系、２ａ  撮像レンズ、３  固体撮像素子部、４  撮像信号転送部、５  デジタル画像信号処理回路、６  エンコーダ、７  フラッシュ発光部、８  レンズ駆動部、９  発光駆動部、１０  カメラコントローラ、１１  バス、１２  表示データ処理部、１３  表示駆動回路、１４  表示部、１５  表示コントローラ、１６  メディアドライブ部、１７  バッファメモリ、１８  ＵＳＢインタフェース、１９  メモリ部、２０  システムコントローラ、２１  操作部、２１ａ  シャッタボタン、２１ｂ  撮像モード／再生モード切替スイッチ、２１ｃ  十字キー、２１ｄ  電源スイッチ
【図１】
2007067660.tif 000003
【図２】
2007067660.tif 000004
【図３】
2007067660.tif 000005
【図４】
2007067660.tif 000006
【図５】
2007067660.tif 000007